(57)【要約】【課題】カメラの取扱いに不慣れな一般ユーザであっても、その状況で有効と思われる各種撮影モードでの撮影を確実に実行できるようにする。【解決手段】レンズ光学系12、ＣＣＤ13を含む動画撮像系と、一連の動画の撮像に係る複数のアドバイス文字データを時系列的に記憶し、動画撮像系による撮像時の動画像を表示部26にモニタ表示させ、そのモニタ表示画面中に記憶した複数のアドバイス文字データを順次表示させる制御部22とを備える。【選択図】  図１
2010213359.tif 000002
【特許請求の範囲】
【請求項１】
動画撮像手段と、
一連の動画の撮像に係る複数のアドバイス文字データを時系列的に記憶するアドバイス記憶手段と、
上記動画撮像手段による撮像時の動画像をモニタ表示する表示手段と、
この表示手段での動画像のモニタ表示画面中に、上記アドバイス記憶手段に記憶される複数のアドバイス文字データを順次表示させる表示制御手段と
を具備したことを特徴とする撮像装置。
【請求項２】
上記動画撮像手段による撮像の経過時間を計時する計時手段をさらに具備し、
上記アドバイス記憶手段は、複数のアドバイス文字データをそれぞれ動画撮像の経過時間と関連付けて記憶し、
上記表示制御手段は、上記計時手段の計時内容に基づき、上記アドバイス記憶手段に記憶される複数のアドバイス文字データをその経過時間に対応して順次切換えて表示させる
ことを特徴とする請求項１記載の撮像装置。
【請求項３】
静止画撮像手段と、
一連の静止画の撮像に係る複数のアドバイスデータを時系列的に記憶するアドバイス記憶手段と、
上記静止画撮像手段での一連の静止画像の撮像中に、上記アドバイス記憶手段に記憶される複数のアドバイスデータを順次出力させる出力制御手段と
を具備したことを特徴とする撮像装置。
【請求項４】
上記出力制御手段は、上記静止画撮像手段による静止画像の撮像動作に基づいて、複数のアドバイスデータを順次切換えて出力させることを特徴とする請求項３記載の撮像装置。
【請求項５】
上記アドバイス記憶手段に記憶されるアドバイスデータの出力順序の前後を指示する指示手段をさらに具備し、
上記出力制御手段は、この指示手段での指示に応じて出力させるアドバイスデータの出力順序を調整する
ことを特徴とする請求項１乃至３いずれかに記載の撮像装置。
【請求項６】
上記出力制御手段によるアドバイスデータの出力に対する上記撮像手段での撮像の有無を学習する学習手段をさらに具備し、
上記出力制御手段は、この学習手段での学習内容に応じて出力させるアドバイスデータの出力の有無を調整する
ことを特徴とする請求項５記載の撮像装置。
【請求項７】
動画を撮像する撮像装置の撮像補助方法であって、
一連の動画の撮像に係る複数のアドバイス文字データを時系列的に記憶するアドバイス記憶工程と、
動画撮像時の動画像をモニタ表示する表示工程と、
この表示工程での動画像のモニタ表示画面中に、上記アドバイス記憶工程で記憶した複数のアドバイス文字データを順次表示する表示制御手段と
を有したことを特徴とする撮像補助方法。
【請求項８】
静止画を撮像する撮像装置の撮像補助方法であって、
一連の静止画の撮像に係る複数のアドバイスデータを時系列的に記憶するアドバイス記憶工程と、
静止画撮像時に上記アドバイス記憶工程で記憶した複数のアドバイスデータを順次出力する出力工程と
を有したことを特徴とする撮像補助方法。
【請求項９】
動画を撮像する撮像装置に内蔵されたコンピュータが実行するプログラムであって、
一連の動画の撮像に係る複数のアドバイス文字データを時系列的に記憶するアドバイス記憶ステップと、
動画撮像時の動画像をモニタ表示する表示ステップと、
この表示ステップでの動画像のモニタ表示画面中に、上記アドバイス記憶ステップで記憶した複数のアドバイス文字データを順次表示する表示制御ステップと
をコンピュータに実行させることを特徴とするプログラム。
【請求項１０】
静止画を撮像する撮像装置に内蔵されたコンピュータが実行するプログラムであって、
一連の静止画の撮像に係る複数のアドバイスデータを時系列的に記憶するアドバイス記憶ステップと、
静止画撮像時に上記アドバイス記憶ステップで記憶した複数のアドバイスデータを順次出力する出力ステップと
をコンピュータに実行させることを特徴とするプログラム。
【発明の詳細な説明】
【技術分野】
【０００１】
本発明は、特にカメラの取扱いに不慣れな一般ユーザを対象としたデジタルカメラ等に好適な撮像装置、撮像補助方法及びプログラムに関する。
【背景技術】
【０００２】
従来、特定の撮影条件、例えば夜景モードで、しかも近くにいる人物と背景とを同時に撮影するようなポートレート夜景シーンでも適切な撮影を可能とするべく、合焦位置とストロボの発光量を自動制御するようにしたカメラが考えられていた。（例えば、特許文献１）
また、複数の撮影条件について、それぞれ適当な見本画像を表示することによってそれらの中から選択された結果に対応して、適切な撮影用の各種条件のパラメータ設定を実行するようにした、見本画像付きの撮影モード選択機能を有するものはあった。
【先行技術文献】
【特許文献】
【０００３】
【特許文献１】特開平２００４−０６２０５８号公報
【発明の概要】
【発明が解決しようとする課題】
【０００４】
しかしながら、上記特許文献１に記載された技術、及び上述した見本画像付きの撮影モード選択機能の技術は、いずれもユーザが選択した１つの撮影条件を自動的に設定するようになるものであり、撮影モードを選択する操作自体はユーザが自ら判断して実行しなければならない。
【０００５】
そのため、特にカメラの取扱いに不慣れな一般ユーザの場合、その情景に応じてより効果的な他の撮影モードを選択するべきであるのに間違った撮影モードを選択してしまう、あるいは１つの撮影モードでの撮影を実行することで、他の撮影モードでの撮影を行なわないままに撮影を終えてしまう、といったことは多々あり得るものであり、結果として適切な撮影モードでのシャッタチャンスを逃してしまうことにもなる。
【０００６】
本発明は上記のような実情に鑑みてなされたもので、その目的とするところは、カメラの取扱いに不慣れな一般ユーザでも、その状況で有効と思われる各種撮影モードでの撮影を確実に実行することが可能な撮像装置、撮像補助方法及びプログラムを提供することにある。
【課題を解決するための手段】
【０００７】
請求項１記載の発明は、動画撮像手段と、一連の動画の撮像に係る複数のアドバイス文字データを時系列的に記憶するアドバイス記憶手段と、上記動画撮像手段による撮像時の動画像をモニタ表示する表示手段と、この表示手段での動画像のモニタ表示画面中に、上記アドバイス記憶手段に記憶される複数のアドバイス文字データを順次表示させる表示制御手段とを具備したことを特徴とする。
【０００８】
請求項２記載の発明は、上記請求項１記載の発明において、上記動画撮像手段による撮像の経過時間を計時する計時手段をさらに具備し、上記アドバイス記憶手段は、複数のアドバイス文字データをそれぞれ動画撮像の経過時間と関連付けて記憶し、上記表示制御手段は、上記計時手段の計時内容に基づき、上記アドバイス記憶手段に記憶される複数のアドバイス文字データをその経過時間に対応して順次切換えて表示させることを特徴とする。
【０００９】
請求項３記載の発明は、静止画撮像手段と、一連の静止画の撮像に係る複数のアドバイスデータを時系列的に記憶するアドバイス記憶手段と、上記静止画撮像手段での一連の静止画像の撮像中に、上記アドバイス記憶手段に記憶される複数のアドバイスデータを順次出力させる出力制御手段とを具備したことを特徴とする。
【００１０】
請求項４記載の発明は、上記請求項３記載の発明において、上記出力制御手段は、上記静止画撮像手段による静止画像の撮像動作に基づいて、複数のアドバイスデータを順次切換えて出力させることを特徴とする。
【００１１】
請求項５記載の発明は、上記請求項１乃至３いずれかに記載の発明において、上記アドバイス記憶手段に記憶されるアドバイスデータの出力順序の前後を指示する指示手段をさらに具備し、上記出力制御手段は、この指示手段での指示に応じて出力させるアドバイスデータの出力順序を調整することを特徴とする。
【００１２】
請求項６記載の発明は、上記請求項５記載の発明において、上記出力制御手段によるアドバイスデータの出力に対する上記撮像手段での撮像の有無を学習する学習手段をさらに具備し、上記出力制御手段は、この学習手段での学習内容に応じて出力させるアドバイスデータの出力の有無を調整することを特徴とする。
【００１３】
請求項７記載の発明は、動画を撮像する撮像装置の撮像補助方法であって、一連の動画の撮像に係る複数のアドバイス文字データを時系列的に記憶するアドバイス記憶工程と、動画撮像時の動画像をモニタ表示する表示工程と、この表示工程での動画像のモニタ表示画面中に、上記アドバイス記憶工程で記憶した複数のアドバイス文字データを順次表示する表示制御手段とを有したことを特徴とする。
【００１４】
請求項８記載の発明は、静止画を撮像する撮像装置の撮像補助方法であって、一連の静止画の撮像に係る複数のアドバイスデータを時系列的に記憶するアドバイス記憶工程と、静止画撮像時に上記アドバイス記憶工程で記憶した複数のアドバイスデータを順次出力する出力工程とを有したことを特徴とする。
【００１５】
請求項９記載の発明は、動画を撮像する撮像装置に内蔵されたコンピュータが実行するプログラムであって、一連の動画の撮像に係る複数のアドバイス文字データを時系列的に記憶するアドバイス記憶ステップと、動画撮像時の動画像をモニタ表示する表示ステップと、この表示ステップでの動画像のモニタ表示画面中に、上記アドバイス記憶ステップで記憶した複数のアドバイス文字データを順次表示する表示制御ステップとをコンピュータに実行させることを特徴とする。
【００１６】
請求項１０記載の発明は、静止画を撮像する撮像装置に内蔵されたコンピュータが実行するプログラムであって、一連の静止画の撮像に係る複数のアドバイスデータを時系列的に記憶するアドバイス記憶ステップと、静止画撮像時に上記アドバイス記憶ステップで記憶した複数のアドバイスデータを順次出力する出力ステップとをコンピュータに実行させることを特徴とする。
【発明の効果】
【００１７】
請求項１記載の発明によれば、動画撮像時にモニタ表示画面に一連のアドバイス文字データが順次表示されるようになるため、カメラの取扱いに不慣れな一般ユーザでも、その状況で有効と思われる各種撮影モードでの撮影を確実に実行することができる。
【００１８】
請求項２記載の発明によれば、上記請求項１記載の発明の効果に加えて、動画撮影の経過時間に対応して一連のアドバイス文字データが表示されるようになるので、アドバイスに従った撮影を実行することで、誰にでも全体の流れが間延びせず纏まりのある動画像を撮影することができる。
【００１９】
請求項３記載の発明によれば、静止画撮影時に文字や音声等によってアドバイスを順次出力するようになるため、カメラの取扱いに不慣れな一般ユーザでも、その状況で有効と思われる各種撮影モードでの撮影を確実に実行することができる。
【００２０】
請求項４記載の発明によれば、上記請求項３記載の発明の効果に加えて、実際にシャッタキー操作に伴う撮像動作に基づいて、複数のアドバイスデータを順次切換えて出力させるようにしたので、適切なタイミングで一連のアドバイスデータを与え、静止画撮像を効率的に実行することができる。
【００２１】
請求項５記載の発明によれば、上記請求項１乃至３いずれかに記載の発明の効果に加えて、アドバイスデータの出力順序の前後を適宜指示して調整することにより、被写体の数やその場の状況等に則して同一撮影モードでの撮影を連続して実行し、あるいは不必要な撮影モードでの撮影を省略するなど、ユーザの判断により臨機応変に対処することができる。
【００２２】
請求項６記載の発明によれば、上記請求項５記載の発明の効果に加えて、ユーザの指示に応じた各アドバイスデータの出力と撮像の有無を学習し、その学習結果に応じて出力させるアドバイスデータの出力の有無を調整することにより、例えばそのユーザが選択指示したアドバイスデータのみを出力させ、省略したアドバイスデータは出力しないようにすれば、ユーザの撮影パターンに応じて無駄な指示操作を省略することができ、また反対にあえてそのユーザが選択指示しなかったアドバイスデータのみを出力させるようにすれば、通常とは異なる撮影モードでの静止画像を得ることができる。
【００２３】
請求項７記載の発明によれば、動画撮像時にモニタ表示画面に一連のアドバイス文字データが順次表示されるようになるため、カメラの取扱いに不慣れな一般ユーザでも、その状況で有効と思われる各種撮影モードでの撮影を確実に実行することができる。
【００２４】
請求項８記載の発明によれば、静止画撮影時に文字や音声等によってアドバイスを順次出力するようになるため、カメラの取扱いに不慣れな一般ユーザでも、その状況で有効と思われる各種撮影モードでの撮影を確実に実行することができる。
【００２５】
請求項９記載の発明によれば、動画撮像時にモニタ表示画面に一連のアドバイス文字データが順次表示されるようになるため、カメラの取扱いに不慣れな一般ユーザでも、その状況で有効と思われる各種撮影モードでの撮影を確実に実行することができる。
【００２６】
請求項１０記載の発明によれば、静止画撮影時に文字や音声等によってアドバイスを順次出力するようになるため、カメラの取扱いに不慣れな一般ユーザでも、その状況で有効と思われる各種撮影モードでの撮影を確実に実行することができる。
【図面の簡単な説明】
【００２７】
【図１】本発明の第１の実施の形態に係るデジタルカメラの機能回路構成を示すブロック図。
【図２】同実施の形態に係る動画撮影モードでの処理内容を示すフローチャート。
【図３】本発明の第２の実施の形態に係る静止画撮影モードでの処理内容を示すフローチャート。
【図４】同実施の形態の動作の変形例に係る静止画撮影モードでの処理内容を示すフローチャート。
【図５】同実施の形態の動作の変形例に係る表示画面の変化を例示する図。
【図６】本発明の第３の実施の形態に係る静止画撮影モードでの処理内容を示すフローチャート。
【図７】同実施の形態の動作の変形例に係る静止画撮影モードでの処理内容を示すフローチャート。
【発明を実施するための形態】
【００２８】
（第１の実施の形態）
以下本発明をデジタルカメラに適用した場合の第１の実施の形態について図面を参照して説明する。
【００２９】
図１は、その電子回路の機能構成を示すものである。同図で、基本モードである撮影モードにおいては、モータ（Ｍ）１１の駆動によりレンズ光学系１２のズーム位置や合焦位置、絞り位置が移動される。このレンズ光学系１２の撮影光軸後方には、撮像素子であるＣＣＤ１３が配置される。
【００３０】
このＣＣＤ１３は、例えばＲＧＢの原色系のカラーフィルタを形成しており、タイミング発生器（ＴＧ）１４、垂直ドライバ１５によって走査駆動されるもので、一定周期毎に結像した光像に対応する光電変換出力を１画面分出力する。
【００３１】
この光電変換出力は、アナログ値の信号の状態でＲＧＢの各原色成分毎に適宜ゲイン調整された後に、サンプルホールド回路（Ｓ／Ｈ）１６でサンプルホールドされ、Ａ／Ｄ変換器１７でデジタルデータに変換され、カラープロセス回路１８で画素補間処理、γ補正処理、及びマトリックス演算を含むカラープロセス処理が行なわれて、デジタル値の輝度信号Ｙ及び色差信号Ｃｂ，Ｃｒが生成され、ＤＭＡ（Ｄｉｒｅｃｔ  Ｍｅｍｏｒｙ  Ａｃｃｅｓｓ）コントローラ１９に出力される。
【００３２】
ＤＭＡコントローラ１９は、カラープロセス回路１８の出力する輝度信号Ｙ及び色差信号Ｃｂ，Ｃｒを、同じくカラープロセス回路１８からの複合同期信号、メモリ書込みイネーブル信号、及びクロック信号を用いて一度ＤＭＡコントローラ１９内部のバッファに書込み、ＤＲＡＭインタフェース（Ｉ／Ｆ）２０を介してバッファメモリとして使用されるＤＲＡＭ２１にＤＭＡ転送を行なう。
【００３３】
制御部２２は、ＣＰＵと、後述する撮影モード時の一連の動画、あるいは静止画の撮影に対する処理を含む該ＣＰＵで実行される動作プログラム、後述するアドバイス文字データ等を固定的に記憶したフラッシュＲＯＭ、及びワークメモリとして使用されるＲＡＭ、現在時刻を計時し続けるタイマ等により構成され、このデジタルカメラ全体の制御動作を司る。
【００３４】
しかして制御部２２は、上記輝度及び色差信号のＤＲＡＭ２１へのＤＭＡ転送終了後に、この輝度及び色差信号をＤＲＡＭインタフェース２０を介してＤＲＡＭ２１より読出し、ＶＲＡＭコントローラ２３を介してＶＲＡＭ２４に書込む。
【００３５】
デジタルビデオエンコーダ２５は、上記輝度及び色差信号をＶＲＡＭコントローラ２３を介してＶＲＡＭ２４より定期的に読出し、これらのデータを元にビデオ信号を発生して表示部２６に出力する。
【００３６】
この表示部２６は、このデジタルカメラの背面側に設けられるもので、撮影モード時にはモニタ表示部（電子ファインダ）として機能し、デジタルビデオエンコーダ２５からのビデオ信号に基づいた表示を行なうことで、その時点でＶＲＡＭコントローラ２３から取込んでいる画像情報に基づく画像をリアルタイムに表示することとなる。
【００３７】
このように表示部２６にその時点での画像がモニタ画像としてリアルタイムに表示されている、所謂スルー画像の表示状態で、静止画撮影を行ないたいタイミングで後述するシャッタキーを操作すると、トリガ信号を発生する。
【００３８】
制御部２２は、このトリガ信号に応じてその時点でＣＣＤ１３から取込んでいる１画面分の輝度及び色差信号のＤＲＡＭ２１へのＤＭＡ転送を取り止め、あらためて適正な露出条件に従った絞り値及びシャッタ速度でＣＣＤ１３を走査駆動して１画面分の輝度及び色差信号を得てＤＲＡＭ２１へ転送し、その後にこの経路を停止し、記録保存の状態に遷移する。
【００３９】
この記録保存の状態では、制御部２２がＤＲＡＭ２１に書込まれている１フレーム分の輝度及び色差信号をＤＲＡＭインタフェース２０を介してＹ，Ｃｂ，Ｃｒの各コンポーネント毎に縦８画素×横８画素の基本ブロックと呼称される単位で読出して画像処理部２７に書込み、この画像処理部２７でＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）規格に従ったＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００４０】
そして、得た符号データを１画像のデータファイルとして該画像処理部２７から読出し、このデジタルカメラの記録媒体として着脱自在に装着されるメモリカード２８に書込む。
【００４１】
そして、１フレーム分の輝度及び色差信号の圧縮処理及びメモリカード２８への全圧縮データの書込み終了に伴なって、制御部２２はＣＣＤ１３からＤＲＡＭ２１への経路を再び起動する。
【００４２】
また、制御部２２には、キー入力部２９、音声処理部３０、及びストロボ駆動部３１が接続される。
【００４３】
キー入力部２９は、電源キー、シャッタキー、ズームキーや、モードスイッチ、メニューキー、「＋」キー、「−」キー及びセットキー等から構成され、それらのキー操作に伴なう信号は直接制御部２２へ送出される。
【００４４】
音声処理部３０は、ＰＣＭ音源等の音源回路を備え、音声の録音時にはカメラ前面側に配設されたマイクロホン部（ＭＩＣ）３２より入力された音声信号をデジタル化し、所定のデータファイル形式、例えばＭＰ３（ＭＰＥＧ−１  ａｕｄｉｏ  ｌａｙｅｒ  ３）規格にしたがってデータ圧縮して音声データファイルを作成してメモリカード２８へ送出する一方、音声の再生時にはメモリカード２８から送られてきた音声データファイルの圧縮を解いてアナログ化し、上述したカメラ背面側に配設されたスピーカ部３３を駆動して、拡声放音させる。
【００４５】
ストロボ駆動部３１は、静止画像撮影時に図示しないストロボ用の大容量コンデンサを充電した上で、制御部２２からの制御に基づいてストロボ発光部３４を閃光駆動する。
【００４６】
しかるに、静止画像の撮影モードではなく動画像の撮影モード時においては、１回目のシャッタキーが操作された時点で、上述した静止画データを画像処理部２７でデータ圧縮した静止画データファイルのメモリカード２８への記録を開始して、以後所定のフレームレート、例えば３０［フレーム／秒］でこれを連続して実行し、２回目にシャッタキーが操作されるか、または所定の制限時間、例えば３０秒が経過した時点でそれら一連の静止画データファイルを一括してモーションＪＰＥＧのデータファイル（ＡＶＩファイル）として設定し直す。
【００４７】
また、基本モードである再生モード時には、制御部２２がメモリカード２８に記録されている画像データを選択的に読出し、画像処理部２７で撮影モード時にデータ圧縮した手順と全く逆の手順で圧縮されている画像データを伸長し、伸長した画像データをＤＲＡＭインタフェース２０を介してＤＲＡＭ２１に保持させた上で、このＤＲＡＭ２１の保持内容をＶＲＡＭコントローラ２３を介してＶＲＡＭ２４に記憶させ、このＶＲＡＭ２４より定期的に画像データを読出してビデオ信号を発生し、上記表示部２６で再生出力させる。
【００４８】
選択した画像データが静止画像ではなく動画像であった場合、選択した動画像ファイルを構成する個々の静止画データの再生を所定のフレームレート、例えば３０［フレーム／秒］に従って時間的に連続して実行し、すべての静止画データの再生を終了した時点で、次に再生の指示がなされるまで先頭に位置する静止画データのみを用いて再生表示する。
【００４９】
次に上記実施の形態の動作について説明する。
なお、以下に示す各処理は、基本的に制御部２２がフラッシュＲＯＭに予め記憶した動作プログラムに基づいて実行するものである。
【００５０】
図２は、動画撮影モード時の処理内容を示すもので、その当初には撮影シーンの選択を行なう（ステップＡ０１）。
【００５１】
撮影シーンの選択を終えると撮影準備状態となり、選択した撮影シーンのスタート時の撮影アドバイス文字データを読出して、そのときにＣＣＤ１３を含む撮像系で撮像している画像を表示部２６で表示するスルー画面上に併せて表示しながら（ステップＡ０２）、撮影を開始するための１回目のシャッタキーの操作を待機する（ステップＡ０３）。
【００５２】
このとき、例えば選択した撮影シーンが「風景と人物」であれば、スルー画面上のアドバイス文字データとして「人物を含んだ風景全体が入るようにワイドな構図でスタートしましょう」という内容を表示する。
【００５３】
しかして、撮影を開始するべくシャッタキーが操作されると、ステップＡ０３でこれを判断して、以後制御部２２により撮影を開始してからの経過時間を計時し、選択した撮影シーンにより経過時間に応じてアドバイス文字データをスルー画面上に表示しながら（ステップＡ０４）、アドバイス通りの操作がなされたかどうか（ステップＡ０５）、撮影を終了するか否か（ステップＡ０６）を繰返し判断することで、それらの操作がなされるのを待機する。
【００５４】
すなわち、上記制御部２２のＲＯＭには、動画撮影用の撮影シーン毎に複数のアドバイス文字データが動画撮影の経過時間と関連付けて予め記憶されており、これを実際に撮影開始してからの経過時間に応じて適宜読出して表示部２６でのスルー画面上に表示させるものである。
【００５５】
これは、例えば選択した撮影シーンが「風景と人物」であれば、上記撮影開始から一定時間（３秒程度）経過した後に、スルー画面上のアドバイス文字データとして「人物に向かって徐々にズームアップしましょう」と表示し、その後に「バストアップ程度でいったん止めましょう」という内容を表示するものとなる。
【００５６】
このとき合わせて表示部２６のスルー画面と一緒に、最大の動画撮影時間と実際に撮影開始時から経過した時間とをインジケータ表示するなどして、時間の経過状況を視覚的に表現するものとしてもよい。
【００５７】
上記ステップＡ０５では、その時点で表示されているアドバイス文字データに対応した所定の操作がなされたか否か、例えば上記アドバイス「人物に向かって徐々にズームアップしましょう」であればレンズ光学系１２が所定の撮影画角となるまでズームアップのキーが操作されたか否かにより判断するもので、当該操作がなされたと判断した時点で、次のアドバイス文字データを表示させるべくその更新設定を実行させ（ステップＡ０７）、再び上記ステップＡ０４からの動作に戻る。
【００５８】
また、上記ステップＡ０６は、撮影を終了するための２回目のシャッタキー操作がなされるか、または所定の制限時間となった場合にこれを判断するもので、撮影終了と判断すると、その時点でアドバイス文字データの表示と撮影を同時に終了し、上述した如くメモリカード２８に記憶される動画（モーションＪＰＥＧ）のデータファイルの設定を行ない、以上で一連の動画撮影モードでのアドバイス表示とそれに伴う撮影とを終了する。
【００５９】
このように動画撮像時には、モニタである表示部２６でのスルー画面上に、一連のアドバイス文字データが順次表示されるようになるため、特にカメラの取扱いに不慣れな一般ユーザでも、その選択した撮影シーン毎に応じて、有効と思われる撮影を確実に実行することができる。
【００６０】
加えて、上記アドバイス文字データは動画撮影の経過時間に対応して表示されるようになるので、その一連のアドバイスに従った撮影を実行することで、誰にでも全体の流れが間延びせず纏まりのある動画像を撮影することができる。
【００６１】
また、上記アドバイスデータは文字の形態でスルー画面上に表示するものとしてユーザに認識させることとし、あえてガイド音声等の出力は行なわないものとした。そのため、この動画撮影が同時に音声も録音する、所謂「音声付き動画」の撮影であっても、録音される音声にアドバイスの音声や警告音等が混在してしまうことはない。
【００６２】
（第２の実施の形態）
以下本発明をデジタルカメラに適用した場合の第２の実施の形態について図面を参照して説明する。
【００６３】
なお、その電子回路の機能構成については上記図１に示した内容と基本的に同様であるものとし、同一部分には同一符号を付すものとしてその図示と説明を省略する。
【００６４】
次に上記実施の形態の動作について説明する。
以下に示す各処理は、基本的に制御部２２がフラッシュＲＯＭに予め記憶した動作プログラムに基づいて実行するものである。
【００６５】
図３は、静止画撮影モード時の処理内容を示すもので、その当初には撮影シーンの選択を行なう（ステップＢ０１）。
【００６６】
撮影シーンの選択を終えると即時撮影準備状態となり、選択した撮影シーンの最初の撮影アドバイス文字データを読出して、そのときにＣＣＤ１３を含む撮像系で撮像している画像を表示部２６で表示するスルー画面上に併せて表示しながら（ステップＢ０２）、撮影を行なうためのシャッタキーの押下げ操作を待機する（ステップＢ０３）。
【００６７】
このとき、例えば選択した撮影シーンが「人物」であれば、スルー画面上のアドバイス文字データとして「正面から表情がわかるように撮影しましょう」という内容を表示する。
【００６８】
しかして、撮影を行なうべくシャッタキーが押下げ操作されると、ステップＢ０３でこれを判断して、撮影を実行し、得た静止画像（ＪＰＥＧ）のファイルデータをメモリカード２８に記録する（ステップＢ０４）。
【００６９】
その後、次のアドバイス文字データを表示させるべくその更新設定を実行し（ステップＢ０５）、この更新設定により選択した撮影シーンの一連のアドバイス文字データがすべて表示されたか否かにより再び撮影を終了したか否かを判断して（ステップＢ０６）、終了していなければ上記ステップＢ０２からの動作に戻る。
【００７０】
こうしてステップＢ０２〜Ｂ０６の処理を繰返し実行することにより、アドバイス文字データを表示してシャッタキーの押下げ操作を待機し、シャッタキーが押下げ操作されたらその操作に対応して撮影を実行して記録すると共に、次のアドバイス文字データを表示する、という動作を繰返す。
【００７１】
例えば選択した撮影シーンが「人物」であれば、上記アドバイスに続く文字データとして「少し引いて、バストアップを撮影しましょう」と表示し、その後に「やや斜めから撮影しましょう」と表示する、というように、シャッタキーの操作をトリガとしてアドバイスの内容を順次変えていく。
【００７２】
そして、最後のアドバイス文字データに対応してシャッタキーの押下げ操作がなされ、撮影と記録とが実行された後にアドバイスも時データの更新設定を行なうと、それが一連の撮影の終了であると上記ステップＢ０６で判断し、以上で一連の静止画撮影モードでのアドバイス表示とそれに伴う撮影とを終了する。
【００７３】
このように、静止画撮影時に撮影動作に合わせてアドバイスを順次表示するようになるため、カメラの取扱いに不慣れな一般ユーザでも、所望する撮影シーンを選択しさえすれば、その状況で有効と思われる各種撮影モードでの撮影を確実に実行することができる。
【００７４】
特に、実際のシャッタキー操作に伴う撮像動作に基づいて、複数のアドバイス文字データを順次切換えて表示させるようにしたので、適切なタイミングで一連のアドバイス文字データをユーザに提示し、静止画撮像を効率的に実行させることができる。
【００７５】
なお、上記アドバイスは第１の実施の形態（動画撮影）と同様に文字データとして表示部２６でのスルー画面上に表示するものとしたが、静止画撮影にあっては音声によるアドバイスデータとしてスピーカ部３３より拡声出力するものとしてもよい。
【００７６】
（第２の実施の形態の変形例）
次に、上記第２の実施の形態の動作の変形例について説明する。
【００７７】
以下に示す各処理は、基本的に制御部２２がフラッシュＲＯＭに予め記憶した動作プログラムに基づいて実行するものである。
【００７８】
図４は、静止画撮影モード時の処理内容を示すもので、その当初には撮影シーンの選択を行なう（ステップＢ０１）。
【００７９】
図５（Ａ）は表示部２６に表示される、撮影シーンの選択画面を例示するものであり、ここではシーン番号「１」が「観光地」を撮影する場合の撮影シーンであることを示しており、画面下部でさらに「＋」キー及び「−」キーの操作により他の撮影シーンが選択可能であること、「シャッタ」の操作により選択した撮影シーンを決定すること、及び「メニュー（ＭＥＮＵ）」キーの操作によりこの撮影シーンの選択画面をキャンセルしてもう一つ上のモード選択階層に戻ることがガイド表示されている。
【００８０】
上記「観光地」の他に、撮影シーンとしては例えば「観光」「運動会」「宴会」「スポーツ」「日記」「報告」「花火」「我が子」等があり、上述した如く「＋」キーまたは「−」キーの操作により選択可能であるものとする。
【００８１】
上記「シャッタ」キーの操作により撮影シーンを選択すると、選択した撮影シーンを決定したものとして、選択した撮影シーンの最初の撮影アドバイス文字データを読出して、そのときにＣＣＤ１３を含む撮像系で撮像している画像を表示部２６で表示するスルー画面上に併せて表示しながら（ステップＢ０２）、後述する「＋」キーまたは「−」キーが操作される（ステップＢ１１）、撮影を行なうためのシャッタキーの押下げ操作があるのを待機する（ステップＢ０３）。
【００８２】
図５（Ｂ）は、表示部２６に表示されるアドバイス文字データを含む画面を例示するものである。ここではスルー画面上にアドバイス文字データ「風景が写るようなアングルが良いでしょう」を表示している。
【００８３】
さらにその上部の分数「１／１５」は、この撮影シーン「観光地」のアドバイス文字データが全部で「１５」あり、現在表示しているものがそのうちの「１」番目であることを示している。
【００８４】
同右側のバー状のインジケータＢＲは、特に図５（Ｃ）にも抽出して示すように、上記分数に連動して、全体のアドバイスの数に対する現在表示しているアドバイスの進行状況を視覚的に表現している。
【００８５】
また、上記スルー画像の下部ではさらに、「＋」キー及び「−」キーの操作により表示しているアドバイス文字データを戻すか、あるいはスキップ（省略）するかを選択できること、「シャッタ」の操作により撮影を実行こと、及び「メニュー（ＭＥＮＵ）」キーの操作によりこの撮影シーンをキャンセルしてもう一つ上のモード選択階層、具体的には上記図５（Ａ）で示した撮影シーンの選択画面に戻ることをガイド表示している。
【００８６】
上記図５（Ｂ）で示されたアドバイス文字データに従って例えばズームダウン操作により構図を変えた状態を図５（Ｄ）に例示する。
【００８７】
上記ステップＢ０２，Ｂ１１，Ｂ０３の処理を繰返し実行し、アドバイス文字データを付加したスルー画面表示を行ないながら、「＋」キーまたは「−」キーが操作されるか、あるいはシャッタキーが押下げ操作されるのを待機する。
【００８８】
しかして、撮影を行なうべくシャッタキーが押下げ操作されると、ステップＢ０３でこれを判断して、撮影を実行し、得た静止画像（ＪＰＥＧ）のファイルデータをメモリカード２８に記録する（ステップＢ０４）。
【００８９】
その後、次のアドバイス文字データを表示させるべくその更新設定を実行し（ステップＢ０５）、この更新設定により選択した撮影シーンの一連のアドバイス文字データがすべて表示されたか否かにより再び撮影を終了したか否かを判断して（ステップＢ０６）、終了していなければ上記ステップＢ０２からの動作に戻る。
【００９０】
また、シャッタキーではなく「＋」キーまたは「−」キーが操作されると、ステップＢ１１でこれを判断し、その操作キーに対応したアドバイス文字データを表示させるべくその更新設定を実行する（ステップＢ１２）。
【００９１】
この場合、操作されたキーが「＋」キーであれば、現在表示しているアドバイス文字データをスキップ（省略）するものとし、次のアドバイス文字データを表示させるべくその更新設定を実行する。
【００９２】
反対に、操作されたキーが「−」キーであれば、現在表示しているアドバイス文字データより１つ前のアドバイス文字データを再度表示させるものとするべくその更新設定を実行する。
【００９３】
こうして所望のアドバイス文字データを表示させるべく更新設定を行なうと、次いでその更新設定した結果から、すべてのアドバイス文字データが表示されたか否か、すなわち最後のアドバイス文字データを表示している状態からさらに上記「＋」キーが操作されたか否かにより撮影を終了したか否かを判断して（ステップＢ０６）、終了していなければ上記ステップＢ０２からの動作に戻る。
【００９４】
図５（Ｅ）及び図５（Ｆ）は、撮影シーン「観光地」での撮影過程が進んだ状態を例示するもので、シャッタキーの押下げ操作により撮影を実行するか、あるいは「＋」キーを操作することで、表示されるアドバイス文字データは順次更新される。
【００９５】
具体的には、図５（Ｅ）は全「１５」個のアドバイス文字データ中の「８」番目の内容「仲間との写真も撮っておきましょう」を表示しており、図５（Ｆ）は「１５」番目、すなわち最後の内容「各自のボディーショットを写しておきましょう」を表示している。
【００９６】
上記図５（Ｆ）に示した最後のアドバイス文字データを表示した状態からシャッタキーを押下げ操作して撮影を実行するか、あるいは「＋」キーを操作してアドバイス文字データのスキップを指示すると、それが一連の撮影の終了であると上記ステップＢ０６で判断し、以上で一連の静止画撮影モードでのアドバイス表示とそれに伴う撮影とを終了する。
【００９７】
このように、上記第２の実施の形態の効果に加えて、例えば「＋」キーまたは「−」キー操作によりアドバイスの出力順序の前後を適宜指示して調整することにより、被写体の数やその場の状況、ユーザの好み等に則して同一撮影モードでの撮影を連続して実行し、あるいは不必要な撮影モードでの撮影を省略するなど、ユーザの判断により臨機応変に対処することができる。
【００９８】
（第３の実施の形態）
以下本発明をデジタルカメラに適用した場合の第３の実施の形態について図面を参照して説明する。
【００９９】
なお、その電子回路の機能構成については上記図１に示した内容と基本的に同様であるものとし、同一部分には同一符号を付すものとしてその図示と説明を省略する。
【０１００】
しかして、上記制御部２２のフラッシュＲＯＭ内には、後述する動作プログラムと撮影シーン毎の複数のアドバイス文字データの他に、各アドバイス文字データと１：１に対応するものとして、そのアドバイス文字データが表示された状態で「＋」キーが操作された回数、すなわちそのアドバイスに従った撮影をスキップ（省略）した回数をカウント値として記憶しておくものとする。
【０１０１】
次に上記実施の形態の動作について説明する。
以下に示す各処理は、基本的に制御部２２がフラッシュＲＯＭに予め記憶した動作プログラムに基づいて実行するものである。
【０１０２】
図６は、静止画撮影モード時の処理内容を示すもので、その当初には撮影シーンの選択を行なう（ステップＣ０１）。
【０１０３】
撮影シーンの選択を終えると、その選択した撮影シーンの各アドバイス文字データのカウント値をサーチし、そのカウント値がしきい値ｎ以上となっているもの、すなわちこれまでその撮影シーンを選択しての撮影に際し、ｎ回以上撮影を省略したアドバイスがあるか否かを判断する（ステップＣ０２）。
【０１０４】
ここで、カウント値がｎ以上のアドバイス文字データがあると判断した場合には、そのアドバイス文字データの中から１つをランダムに抽出し、そのときにＣＣＤ１３を含む撮像系で撮像している画像を表示部２６で表示するスルー画面上に併せて表示させた後（ステップＣ０３）、そのアドバイス文字データのカウント値をリセットして「０」とする（ステップＣ０４）。
【０１０５】
その後、後述する「＋」キーが操作されるか、撮影を行なうためのシャッタキーの押下げ操作があるのを繰返し判断することでこれらの操作を待機する（ステップＣ０５，Ｃ０６）。
【０１０６】
しかして、撮影を行なうべくシャッタキーが押下げ操作されると、ステップＣ０６でこれを判断して、撮影を実行し、得た静止画像（ＪＰＥＧ）のファイルデータをメモリカード２８に記録する（ステップＣ０７）。
【０１０７】
その後、次のアドバイス文字データを表示させるべくその更新設定を実行し（ステップＣ０８）、この更新設定により選択した撮影シーンの一連のアドバイス文字データがすべて表示されたか否かにより再び撮影を終了したか否かを判断して（ステップＣ０９）、終了していなければ上記ステップＣ０２からの動作に戻る。
【０１０８】
また、シャッタキーではなく「＋」キーが操作されると、上記ステップＣ０５でこれを判断し、現在表示しているアドバイス文字データをスキップ（省略）するものとして、そのアドバイスのスキップしたカウント値を「＋１」更新設定した後に（ステップＣ１０）、次のアドバイス文字データを表示させるべくアドバイス文字データの更新設定も実行し（ステップＣ０８）、この更新設定により選択した撮影シーンの一連のアドバイス文字データがすべて表示されたか否かにより再び撮影を終了したか否かを判断して（ステップＣ０９）、終了していなければ上記ステップＣ０２からの動作に戻る。
【０１０９】
なお、上記ステップＣ０２で選択した撮影シーンについて、カウント値ｎ以上のアドバイス文字データがないと判断した場合には、上記ステップＣ０３，Ｃ０４での処理に代えて、上記ステップＣ０１で選択した撮影シーンの撮影アドバイス文字データを順次読出して、そのときにＣＣＤ１３を含む撮像系で撮像している画像を表示部２６で表示するスルー画面上に併せて表示しながら（ステップＣ１１）、上記ステップＣ０５からの処理に移行し、「＋」キーの操作、あるいはシャッタキーの押下げ操作を待機する。
【０１１０】
このように、通常の撮影においてアドバイス文字データをスキップした回数を学習としてカウントしていき、所定値ｎ以上となると学習結果としてそのアドバイス文字データを優先して表示することにより、例えば所定値ｎ＝４であるとすれば、少なくとも５回に１回位の頻度で、通常は撮影を省略しているアドバイス文字データが優先して、且つランダムにスルー画面上に表示されるようになるため、そのアドバイスに従った撮影を実行することにより、通常とは異なったイメージパターンの静止画像を得ることができ、静止画像撮影の幅を広げることができる。
【０１１１】
なお、上記アドバイス文字データ毎にそのスキップした回数をカウントするものとした場合、ユーザはいつでも必要に応じて所定の操作によりそれら各アドバイス文字データ毎のカウント値を一括してリセットすることができるものとする。
【０１１２】
また、上記アドバイスは第１の実施の形態（動画撮影）と同様に文字データとして表示部２６でのスルー画面上に表示するものとしたが、静止画撮影にあっては音声によるアドバイスデータとしてスピーカ部３３より拡声出力するものとしてもよい。
【０１１３】
（第３の実施の形態の変形例）
次に、上記第２の実施の形態の動作の変形例について説明する。
【０１１４】
以下に示す各処理は、基本的に制御部２２がフラッシュＲＯＭに予め記憶した動作プログラムに基づいて実行するものである。
【０１１５】
図７は、静止画撮影モード時の処理内容を示すもので、その当初には撮影シーンの選択を行なう（ステップＣ０１）。
【０１１６】
撮影シーンの選択を終えると、その選択した撮影シーンの各アドバイス文字データのカウント値をサーチし、そのカウント値がしきい値ｎ以上となっているもの、すなわちこれまでその撮影シーンを選択しての撮影に際し、ｎ回以上撮影を省略したアドバイスがあるか否かを判断する（ステップＣ０２）。
【０１１７】
ここで、カウント値がｎ以上のアドバイス文字データがあると判断した場合には、それらカウント値ｎ以上のアドバイス文字データを一括して選択対象から除外するものとして設定した後（ステップＣ２１）、再び上記ステップＣ０２に戻る。
【０１１８】
そして、再度のステップＣ０２で選択した撮影シーンの対象となる各アドバイス文字データでカウント値がｎ以上のものがないことを確認し、その上で、対象となるアドバイス文字データの中から順次読出して、そのときにＣＣＤ１３を含む撮像系で撮像している画像を表示部２６で表示するスルー画面上に併せて表示させる（ステップＣ１１）。
【０１１９】
この状態で、「＋」キーが操作されるか、撮影を行なうためのシャッタキーの押下げ操作があるのを繰返し判断することでこれらの操作を待機する（ステップＣ０５，Ｃ０６）。
【０１２０】
しかして、撮影を行なうべくシャッタキーが押下げ操作されると、ステップＣ０６でこれを判断して、撮影を実行し、得た静止画像（ＪＰＥＧ）のファイルデータをメモリカード２８に記録する（ステップＣ０７）。
【０１２１】
その後、次のアドバイス文字データを表示させるべくその更新設定を実行し（ステップＣ０８）、この更新設定により選択した撮影シーンの一連のアドバイス文字データがすべて表示されたか否かにより再び撮影を終了したか否かを判断して（ステップＣ０９）、終了していなければ上記ステップＣ０２からの動作に戻る。
【０１２２】
また、シャッタキーではなく「＋」キーが操作されると、上記ステップＣ０５でこれを判断し、現在表示しているアドバイス文字データをスキップ（省略）するものとして、そのアドバイスのスキップしたカウント値を「＋１」更新設定した後に（ステップＣ１０）、次のアドバイス文字データを表示させるべくアドバイス文字データの更新設定も実行し（ステップＣ０８）、この更新設定により選択した撮影シーンの一連のアドバイス文字データがすべて表示されたか否かにより再び撮影を終了したか否かを判断して（ステップＣ０９）、終了していなければ上記ステップＣ０２からの動作に戻る。
【０１２３】
このように、通常の撮影においてアドバイス文字データをスキップした回数を学習としてカウントしていき、所定値ｎ以上となると学習結果としてそのアドバイス文字データを対象外として除外設定することにより、所定回数スキップしたアドバイスはそれ以降の表示を省略し、ユーザの不必要な操作を無用とするものとしたので、個のカメラを使っていく過程でユーザの使い勝手をより向上させることができる。
【０１２４】
なお、上記アドバイス文字データ毎にそのスキップした回数をカウントするものとした場合、ユーザはいつでも必要に応じて所定の操作によりそれら各アドバイス文字データ毎のカウント値を一括してリセットすることができるものとする。
【０１２５】
また、上記第１乃至第３の実施の形態は、いずれも本発明をデジタルカメラに適用した場合について説明したものであるが、本発明はこれに限ることなく、動画あるいは静止画を撮像することが可能な電子機器であれば、例えばカメラ機能を有する携帯電話機やＰＤＡ（Ｐｅｒｓｏｎａｌ  Ｄｉｇｉｔａｌ  Ａｓｓｉｓｔａｎｔｓ：個人向け携帯情報端末）等にも同様に適用可能となる。
【０１２６】
その他、本発明は上記実施の形態に限らず、その要旨を逸脱しない範囲内で種々変形して実施することが可能であるものとする。
【０１２７】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【符号の説明】
【０１２８】
１１…モータ（Ｍ）、１２…レンズ光学系、１３…ＣＣＤ、１４…タイミング発生器（ＴＧ）、１５…垂直ドライバ、１６…サンプルホールド回路（Ｓ／Ｈ）、１７…Ａ／Ｄ変換器、１８…カラープロセス回路、１９…ＤＭＡコントローラ、２０…ＤＲＡＭインタフェース（Ｉ／Ｆ）、２１…ＤＲＡＭ、２２…制御部、２３…ＶＲＡＭコントローラ、２４…ＶＲＡＭ、２５…デジタルビデオエンコーダ、２６…表示部、２７…画像処理部、２８…メモリカード、２９…キー入力部、３０…音声処理部、３１…ストロボ駆動部、３２…マイクロホン部、３３…スピーカ部、３４…ストロボ発光部、ＢＲ…インジケータ。
【図１】
2010213359.tif 000003
【図２】
2010213359.tif 000004
【図３】
2010213359.tif 000005
【図４】
2010213359.tif 000006
【図５】
2010213359.tif 000007
【図６】
2010213359.tif 000008
【図７】
2010213359.tif 000009
【手続補正書】
【提出日】平成22年7月5日(2010.7.5)
【手続補正１】
【補正対象書類名】明細書
【補正対象項目名】０００２
【補正方法】変更
【補正の内容】
【０００２】
従来、特定の撮影条件、例えば夜景モードで、しかも近くにいる人物と背景とを同時に撮影するようなポートレート夜景シーンでも適切な撮影を可能とするべく、合焦位置とストロボの発光量といった条件パラメータを自動制御するようにしたカメラが考えられていた。（例えば、特許文献１）
また、複数の撮影条件について、それぞれ適当な見本画像を表示することによってそれらの中から選択された結果に対応して、適切な撮影用の各種条件のパラメータ設定を一括して自動的に実行するようにした、見本画像付きの撮影モード選択機能を有する技術として、特許文献２乃至６があった。
【手続補正２】
【補正対象書類名】明細書
【補正対象項目名】０００３
【補正方法】変更
【補正の内容】
【０００３】
【特許文献１】特開２００４−０６２０５８号公報
【特許文献２】特開２００２−０１０１３３号公報
【特許文献３】特開２００２−０１０１３４号公報
【特許文献４】特開２００２−０９４８３８号公報
【特許文献５】特開２００４−０４８７８６号公報
【特許文献６】特開２００４−２５４２５６号公報
【手続補正３】
【補正対象書類名】明細書
【補正対象項目名】０００７
【補正方法】変更
【補正の内容】
【０００７】
請求項１記載の発明は、静止画撮像手段と、一連の静止画の撮像に係る複数のアドバイスデータを時系列的に記憶するアドバイス記憶手段と、上記静止画撮像手段での一連の静止画像の撮像中に、上記アドバイス記憶手段に記憶される複数のアドバイスデータを順次出力させると共に、現在出力されているアドバイスデータの全体における位置を示す位置データを出力する出力制御手段とを具備したことを特徴とする。
【手続補正４】
【補正対象書類名】明細書
【補正対象項目名】０００８
【補正方法】変更
【補正の内容】
【０００８】
請求項２記載の発明は、静止画を撮像する撮像装置の撮像補助方法であって、一連の静止画の撮像に係る複数のアドバイスデータを時系列的に記憶するアドバイス記憶工程と、一連の静止画像の撮像中に、上記アドバイス記憶工程で記憶した複数のアドバイスデータを順次出力すると共に、現在出力しているアドバイスデータの全体における位置を示す位置データを出力する出力工程とを有したことを特徴とする。
【手続補正５】
【補正対象書類名】明細書
【補正対象項目名】０００９
【補正方法】変更
【補正の内容】
【０００９】
請求項３記載の発明は、静止画を撮像する撮像装置の撮像補助方法であって、一連の静止画の撮像に係る複数のアドバイスデータを時系列的に記憶するアドバイス記憶工程と、一連の静止画像の撮像中に、上記アドバイス記憶工程で記憶した複数のアドバイスデータを順次出力する出力工程と、静止画像の撮像を行わずに次のアドバイスデータへの切換えを指示する指示工程と、この指示工程により指示された回数を各アドバイスデータ毎にカウントする計数工程と、この計数工程によるカウント数が所定値以上となったアドバイスデータの出力を省略するように上記出力工程を設定する設定工程とを有したことを特徴とする。
【手続補正６】
【補正対象書類名】明細書
【補正対象項目名】００１０
【補正方法】変更
【補正の内容】
【００１０】
請求項４記載の発明は、静止画を撮像する撮像装置に内蔵されたコンピュータが実行するプログラムであって、一連の静止画の撮像に係る複数のアドバイスデータを時系列的に記憶するアドバイス記憶ステップと、一連の静止画像の撮像中に、上記アドバイス記憶ステップで記憶した複数のアドバイスデータを順次出力すると共に、現在出力されているアドバイスデータの全体における位置を示す位置データを出力する出力ステップとをコンピュータに実行させることを特徴とする。
【手続補正７】
【補正対象書類名】明細書
【補正対象項目名】００１１
【補正方法】変更
【補正の内容】
【００１１】
請求項５記載の発明は、静止画を撮像する撮像装置に内蔵されたコンピュータが実行するプログラムであって、一連の静止画の撮像に係る複数のアドバイスデータを時系列的に記憶するアドバイス記憶ステップと、一連の静止画像の撮像中に、上記アドバイス記憶ステップで記憶した複数のアドバイスデータを順次出力する出力ステップと、静止画像の撮像を行わずに次のアドバイスデータへの切換えを指示する指示ステップと、この指示ステップにより指示された回数を各アドバイスデータ毎にカウントする計数ステップと、この計数ステップによるカウント数が所定値以上となったアドバイスデータの出力を省略するように上記出力ステップを設定する設定ステップとをコンピュータに実行させることを特徴とする。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】変更
【補正の内容】
【００１７】
本発明によれば、カメラの取扱いに不慣れな一般ユーザが、不適切な設定のままで撮影し続けてしまうような事態を少なくし、その状況で有効と思われる各種条件パラメータ設定状態での撮影が行なわれるように導くことができる。
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００５９
【補正方法】変更
【補正の内容】
【００５９】
このように動画撮像時には、モニタである表示部２６でのスルー画面上に、一連のアドバイス文字データが順次表示されるようになるため、特にカメラの取扱いに不慣れな一般ユーザでも、適切な撮影シーンを選択して、その選択した撮影シーン毎に適切な設定で撮影を実行することができる。
【手続補正２４】
【補正対象書類名】明細書
【補正対象項目名】００６９
【補正方法】変更
【補正の内容】
【００６９】
その後、次のアドバイス文字データを表示させるべくその更新設定を実行し（ステップＢ０５）、この更新設定により選択した撮影シーンの一連のアドバイス文字データがすべて表示されたか否かにより撮影を終了したか否かを判断して（ステップＢ０６）、終了していなければ上記ステップＢ０２からの動作に戻る。
【手続補正２５】
【補正対象書類名】明細書
【補正対象項目名】００７２
【補正方法】変更
【補正の内容】
【００７２】
そして、最後のアドバイス文字データに対応してシャッタキーの押下げ操作がなされ、撮影と記録とが実行された後にアドバイスの更新設定を行なうと、それが一連の撮影の終了であると上記ステップＢ０６で判断し、以上で一連の静止画撮影モードでのアドバイス表示とそれに伴う撮影とを終了する。
【手続補正２６】
【補正対象書類名】明細書
【補正対象項目名】００７３
【補正方法】変更
【補正の内容】
【００７３】
このように、静止画撮影時に撮影動作に合わせてアドバイスを順次表示するようになるため、カメラの取扱いに不慣れな一般ユーザでも、適切な撮影シーンを選択して、その選択した撮影シーン毎に適切な設定で一連の撮影を実行することができる。
【手続補正２７】
【補正対象書類名】明細書
【補正対象項目名】００８１
【補正方法】変更
【補正の内容】
【００８１】
上記「シャッタ」キーの操作により撮影シーンを選択すると、選択した撮影シーンを決定したものとして、選択した撮影シーンの最初の撮影アドバイス文字データを読出して、そのときにＣＣＤ１３を含む撮像系で撮像している画像を表示部２６で表示するスルー画面上に併せて表示しながら（ステップＢ０２）、後述する「＋」キーまたは「−」キーの操作や（ステップＢ１１）、撮影を行なうためのシャッタキーの押下げ操作があるのを待機する（ステップＢ０３）。
【手続補正２８】
【補正対象書類名】明細書
【補正対象項目名】００８５
【補正方法】変更
【補正の内容】
【００８５】
また、上記スルー画像の下部ではさらに、「＋」キー及び「−」キーの操作により表示しているアドバイス文字データを戻すか、あるいはスキップ（省略）するかを選択できること、「シャッタ」の操作により撮影を実行すること、及び「メニュー（ＭＥＮＵ）」キーの操作によりこの撮影シーンをキャンセルしてもう一つ上のモード選択階層、具体的には上記図５（Ａ）で示した撮影シーンの選択画面に戻ることをガイド表示している。
【手続補正２９】
【補正対象書類名】明細書
【補正対象項目名】００８９
【補正方法】変更
【補正の内容】
【００８９】
その後、次のアドバイス文字データを表示させるべくその更新設定を実行し（ステップＢ０５）、この更新設定により選択した撮影シーンの一連のアドバイス文字データがすべて表示されたか否かにより撮影を終了したか否かを判断して（ステップＢ０６）、終了していなければ上記ステップＢ０２からの動作に戻る。
【手続補正３０】
【補正対象書類名】明細書
【補正対象項目名】０１００
【補正方法】変更
【補正の内容】
【０１００】
しかして、上記制御部２２のフラッシュＲＯＭ及びＲＡＭ内には、後述する動作プログラムと撮影シーン毎の複数のアドバイス文字データの他に、各アドバイス文字データと１：１に対応するものとして、そのアドバイス文字データが表示された状態で「＋」キーが操作された回数、すなわちそのアドバイスに従った撮影をスキップ（省略）した回数をカウント値として記憶しておくものとする。
【手続補正３１】
【補正対象書類名】明細書
【補正対象項目名】０１０７
【補正方法】変更
【補正の内容】
【０１０７】
その後、次のアドバイス文字データを表示させるべくその更新設定を実行し（ステップＣ０８）、この更新設定により選択した撮影シーンの一連のアドバイス文字データがすべて表示されたか否かにより撮影を終了したか否かを判断して（ステップＣ０９）、終了していなければ上記ステップＣ０２からの動作に戻る。
【手続補正３２】
【補正対象書類名】明細書
【補正対象項目名】０１０８
【補正方法】変更
【補正の内容】
【０１０８】
また、シャッタキーではなく「＋」キーが操作されると、上記ステップＣ０５でこれを判断し、現在表示しているアドバイス文字データをスキップ（省略）するものとして、そのアドバイスのスキップしたカウント値を「＋１」更新設定した後に（ステップＣ１０）、次のアドバイス文字データを表示させるべくアドバイス文字データの更新設定も実行し（ステップＣ０８）、この更新設定により選択した撮影シーンの一連のアドバイス文字データがすべて表示されたか否かにより撮影を終了したか否かを判断して（ステップＣ０９）、終了していなければ上記ステップＣ０２からの動作に戻る。
【手続補正３３】
【補正対象書類名】明細書
【補正対象項目名】０１１０
【補正方法】変更
【補正の内容】
【０１１０】
このように、通常の撮影においてアドバイス文字データをスキップした回数を学習としてカウントしていき、所定値ｎ以上となると学習結果としてそのアドバイス文字データを優先して表示することにより、例えば所定値ｎ＝４であるとすれば、５回のスキップに１回位の頻度で、通常は撮影を省略しているアドバイス文字データが優先して、且つランダムにスルー画面上に表示されるようになるため、そのアドバイスに従った撮影を実行することにより、通常とは異なったイメージパターンの静止画像を得ることができ、静止画像撮影の幅を広げることができる。
【手続補正３４】
【補正対象書類名】明細書
【補正対象項目名】０１１３
【補正方法】変更
【補正の内容】
【０１１３】
（第３の実施の形態の変形例）
次に、上記第３の実施の形態の動作の変形例について説明する。
【手続補正３５】
【補正対象書類名】明細書
【補正対象項目名】０１１７
【補正方法】変更
【補正の内容】
【０１１７】
ここで、カウント値がｎ以上のアドバイス文字データがあると判断した場合には、それらカウント値ｎ以上のアドバイス文字データを選択対象から除外するものとして設定した後（ステップＣ２１）、再び上記ステップＣ０２に戻る。
【手続補正３６】
【補正対象書類名】明細書
【補正対象項目名】０１２１
【補正方法】変更
【補正の内容】
【０１２１】
その後、次のアドバイス文字データを表示させるべくその更新設定を実行し（ステップＣ０８）、この更新設定により選択した撮影シーンの一連のアドバイス文字データがすべて表示されたか否かにより撮影を終了したか否かを判断して（ステップＣ０９）、終了していなければ上記ステップＣ０２からの動作に戻る。
【手続補正３７】
【補正対象書類名】明細書
【補正対象項目名】０１２２
【補正方法】変更
【補正の内容】
【０１２２】
また、シャッタキーではなく「＋」キーが操作されると、上記ステップＣ０５でこれを判断し、現在表示しているアドバイス文字データをスキップ（省略）するものとして、そのアドバイスのスキップしたカウント値を「＋１」更新設定した後に（ステップＣ１０）、次のアドバイス文字データを表示させるべくアドバイス文字データの更新設定も実行し（ステップＣ０８）、この更新設定により選択した撮影シーンの一連のアドバイス文字データがすべて表示されたか否かにより撮影を終了したか否かを判断して（ステップＣ０９）、終了していなければ上記ステップＣ０２からの動作に戻る。
【手続補正３８】
【補正対象書類名】明細書
【補正対象項目名】０１２３
【補正方法】変更
【補正の内容】
【０１２３】
このように、通常の撮影においてアドバイス文字データをスキップした回数を学習としてカウントしていき、所定値ｎ以上となると学習結果としてそのアドバイス文字データを対象外として除外設定することにより、所定回数スキップしたアドバイスはそれ以降の表示を省略し、ユーザの不必要な操作を無用とするものとしたので、このカメラを使っていく過程でユーザの使い勝手をより向上させることができる。
【手続補正３９】
【補正対象書類名】特許請求の範囲
【補正対象項目名】全文
【補正方法】変更
【補正の内容】
【特許請求の範囲】
【請求項１】
静止画撮像手段と、
一連の静止画の撮像に係る複数のアドバイスデータを時系列的に記憶するアドバイス記憶手段と、
上記静止画撮像手段での一連の静止画像の撮像中に、上記アドバイス記憶手段に記憶される複数のアドバイスデータを順次出力させると共に、現在出力されているアドバイスデータの全体における位置を示す位置データを出力する出力制御手段と
を具備したことを特徴とする撮像装置。
【請求項２】
静止画を撮像する撮像装置の撮像補助方法であって、
一連の静止画の撮像に係る複数のアドバイスデータを時系列的に記憶するアドバイス記憶工程と、
一連の静止画像の撮像中に、上記アドバイス記憶工程で記憶した複数のアドバイスデータを順次出力すると共に、現在出力しているアドバイスデータの全体における位置を示す位置データを出力する出力工程と
を有したことを特徴とする撮像補助方法。
【請求項３】
静止画を撮像する撮像装置の撮像補助方法であって、
一連の静止画の撮像に係る複数のアドバイスデータを時系列的に記憶するアドバイス記憶工程と、
一連の静止画像の撮像中に、上記アドバイス記憶工程で記憶した複数のアドバイスデータを順次出力する出力工程と、
静止画像の撮像を行わずに次のアドバイスデータへの切換えを指示する指示工程と、
この指示工程により指示された回数を各アドバイスデータ毎にカウントする計数工程と、
この計数工程によるカウント数が所定値以上となったアドバイスデータの出力を省略するように上記出力工程を設定する設定工程と
を有したことを特徴とする撮像補助方法。
【請求項４】
静止画を撮像する撮像装置に内蔵されたコンピュータが実行するプログラムであって、
一連の静止画の撮像に係る複数のアドバイスデータを時系列的に記憶するアドバイス記憶ステップと、
一連の静止画像の撮像中に、上記アドバイス記憶ステップで記憶した複数のアドバイスデータを順次出力すると共に、現在出力されているアドバイスデータの全体における位置を示す位置データを出力する出力ステップと
をコンピュータに実行させることを特徴とするプログラム。
【請求項５】
静止画を撮像する撮像装置に内蔵されたコンピュータが実行するプログラムであって、
一連の静止画の撮像に係る複数のアドバイスデータを時系列的に記憶するアドバイス記憶ステップと、
一連の静止画像の撮像中に、上記アドバイス記憶ステップで記憶した複数のアドバイスデータを順次出力する出力ステップと、
静止画像の撮像を行わずに次のアドバイスデータへの切換えを指示する指示ステップと、
この指示ステップにより指示された回数を各アドバイスデータ毎にカウントする計数ステップと、
この計数ステップによるカウント数が所定値以上となったアドバイスデータの出力を省略するように上記出力ステップを設定する設定ステップと
をコンピュータに実行させることを特徴とするプログラム。
【手続補正４０】
【補正対象書類名】図面
【補正対象項目名】図２
【補正方法】変更
【補正の内容】
【図２】
2010213359.tif 000010